(57)【要約】【課題】光源を支持するソケットをリフレクタに対して着脱可能とした車両用照明装置において、組立作業や光源の交換作業の迅速化、および部品点数の削減を可能にする。【解決手段】リフレクタ３０は、光源２０から出射された光を所定の方向へ反射する。ブラケット４０は、リフレクタ３０の後部に固定され、第１係合部４５を有している。ソケット５０は、光源２０を支持し、第２係合部５３を有している。車両に対するリフレクタ３０の姿勢を調整する調整機構は、ブラケット４０の一部を変位させる。ブラケット４０の後方から第１係合部４５と第２係合部５３を係合させることにより、光源２０がリフレクタ３０に対して所定の位置に配置される。第１係合部４５と第２係合部５３の係合は、第１係合部４５を撓み変形させることにより解除可能とされている。【選択図】図２
2015167119.tif 000002
【特許請求の範囲】
【請求項１】
車両に搭載される照明装置であって、
灯室を区画するハウジングと、
前記灯室内に配置された光源と、
前記灯室内に配置されて前記光源から出射された光を所定の方向へ反射するリフレクタと、
前記リフレクタの後部に固定され、第１係合部を有しているブラケットと、
前記光源を支持し、第２係合部を有しているソケットと、
前記ブラケットの一部を変位させることにより、前記車両に対する前記リフレクタの姿勢を調整する調整機構と、
を備えており、
前記第１係合部と前記第２係合部は、前記ブラケットの後方から前方へ向けて前記ソケットを押すことにより、前記第１係合部が前記第２係合部と係合して前記光源が前記リフレクタに対して所定の位置に配置されるように構成されており、
前記第１係合部と前記第２係合部の係合は、前記第１係合部と前記第２係合部の一方を撓み変形させることにより解除可能とされている、
照明装置。
【請求項２】
前記第１係合部は、後方に延びるとともに撓み変形可能な第１係合突起と第２係合突起を含んでおり、
前記第１係合突起は、第２係合突起よりも長い寸法を有している、
請求項１に記載の照明装置。
【請求項３】
前記第２係合部は、前記光源の光軸と直交する向きに延びており、
前記リフレクタは、前記第１係合部と係合した前記第２係合部を受容する凹部を有しており、
前記第２係合部が前記凹部に受容されることにより、前記第２係合部の前記光軸に直交する面内における変位が規制されるように構成されている、
請求項１または２に記載の照明装置。
【請求項４】
前記リフレクタと前記ブラケットの一方には、位置決め凸部が設けられており、
前記リフレクタと前記ブラケットの他方には、位置決め凹部が形成されており、
前記位置決め凹部が前記位置決め凸部を受容することにより、前記ブラケットの前記光軸に直交する面内における変位が規制されるように構成されている、
請求項１から３のいずれか一項に記載の照明装置。
【請求項５】
車両に搭載される照明装置であって、
灯室を区画するハウジングと、
前記灯室内に配置された光源と、
前記灯室内に配置されて前記光源から出射された光を所定の方向へ反射するリフレクタと、
前記リフレクタの後部に固定されたブラケットと、
前記ブラケットの一部を変位させることにより、前記車両に対する前記リフレクタの姿勢を調整する調整機構と、
前記リフレクタと前記ブラケットの一方に設けられた係止突起と、
前記リフレクタと前記ブラケットの他方に設けられ、前記係止突起と係合可能な係止凹部と、
を備えており、
前記係止突起と前記係止凹部は、前記リフレクタの後方から前方へ向けて前記ブラケットを押すことにより、前記係止突起が前記係止凹部と係合して前記ブラケットが前記リフレクタに対して所定の位置に配置され、かつ、前記係止突起の前記後方への変位が規制されるように構成されている、
照明装置。
【請求項６】
前記リフレクタと前記ブラケットの一方に設けられ、前記光源の光軸と平行な向きに延びる複数のガイド突起と、
前記リフレクタと前記ブラケットの他方に設けられ、前記係止突起と前記係止凹部の係合時において前記複数のガイド突起をそれぞれ受容する複数の受容部と、
を備えており、
前記複数のガイド突起が前記複数の受容部にそれぞれ受容されることにより、前記ブラケットの前記光軸に直交する面内における変位が規制されるように構成されている、
請求項５に記載の照明装置。
【発明の詳細な説明】
【技術分野】
【０００１】
本発明は、車両に搭載される照明装置に関する。
【背景技術】
【０００２】
車両に搭載される照明装置であって、光源を支持するソケットが灯室内に配置されたリフレクタに対して着脱可能とされた構成を有するものが知られている（例えば、特許文献１を参照）。
【先行技術文献】
【特許文献】
【０００３】
【特許文献１】実開昭６３−００４３２１号公報
【発明の概要】
【発明が解決しようとする課題】
【０００４】
この種の照明装置においては、光源の光軸の基準位置を調整するための機構をさらに設ける必要がある。一方、組立作業や光源の交換作業の迅速化や部品点数の削減が求められている。
【０００５】
よって本発明は、車両用照明装置の組立作業、光源の交換作業の迅速化、および部品点数の削減を可能にすることを目的とする。
【課題を解決するための手段】
【０００６】
上記の目的を達成するために、本発明がとりうる第１の態様は、車両に搭載される照明装置であって、
灯室を区画するハウジングと、
前記灯室内に配置された光源と、
前記灯室内で前記光源から出射された光を所定の方向へ反射するリフレクタと、
前記リフレクタの後部に固定され、第１係合部を有しているブラケットと、
前記光源を支持し、第２係合部を有しているソケットと、
前記ブラケットの一部を変位させることにより、前記車両に対する前記リフレクタの姿勢を調整する調整機構と、
を備えており、
前記第１係合部と前記第２係合部は、前記ブラケットの後方から前方へ向けて前記ソケットを押すことにより、前記第１係合部が前記第２係合部と係合して前記光源が前記リフレクタに対して所定の位置に配置されるように構成されており、
前記第１係合部と前記第２係合部の係合は、前記第１係合部と前記第２係合部の一方を撓み変形させることにより解除可能とされている。
【０００７】
このような構成によれば、後方からリフレクタにブラケットを固定し、さらに光源を支持しているソケットをブラケットの後方から前方へ向けて押すのみで、灯具ユニットを組み立てることができる。リフレクタへのブラケットの装着と、ブラケットへのソケットの装着を同じ方向から行なうことができるため、作業性が向上する。
【０００８】
特にブラケットとソケットの結合（リフレクタに対する所定位置への光源の配置）は、ブラケットに設けられた第１係合部とソケットに設けられた第２係合部を係合させるのみであり、また当該係合は、第１係合部と第２係合部の一方を撓み変形させるのみで解除可能であることから、組立作業や光源の交換作業を迅速かつ効率的に行なうことができる。
【０００９】
またソケットが結合されるブラケットは、車両に対するリフレクタの姿勢（光源の光軸の基準位置）を調整する機構により変位する。すなわち、リフレクタに対する所定の位置に光源を配置するための部品を、リフレクタの姿勢を調整するための部品としても利用している。したがって、部品点数を削減できる。
【００１０】
第１の態様に係る照明装置は、前記第１係合部が、後方に延びるとともに撓み変形可能な第１係合突起と第２係合突起を含んでいる構成とされうる。
この場合、前記第１係合突起は、第２係合突起よりも長い寸法を有している。
【００１１】
このような構成によれば、作業者は第１係合突起を操作することにより容易に第１係合突起を撓ませ、第１係合部と第２係合部の係合を迅速に解除できる。また複数の係合突起のうち１つだけを上記のような構成とすることにより、作業者には係合解除のために操作すべき係合突起を示唆できる。したがって、材料コストを抑制しつつ、迅速かつ効率的なソケットの取外し作業が可能となる。
【００１２】
第１の態様に係る照明装置は、前記第２係合部は、前記光源の光軸と直交する向きに延びており、前記リフレクタは、前記第１係合部と係合した前記第２係合部を受容する凹部を有している構成とされうる。
この場合、当該照明装置は、前記第２係合部が前記凹部に受容されることにより、前記第２係合部の前記光軸に直交する面内における変位が規制されるように構成されうる。
【００１３】
このような構成によれば、第１係合部と係合した第２係合部が、光源の光軸を中心に回転することが防止される。第１係合部と第２係合部を係合させるのみで、光軸を中心とするソケットの周方向の姿勢が定まるため、迅速かつ効率的に光源をリフレクタに対する所定の位置に配置できる。
【００１４】
第１の態様に係る照明装置は、前記リフレクタと前記ブラケットの一方に位置決め凸部が設けられており、前記リフレクタと前記ブラケットの他方に位置決め凹部が形成されている構成とされうる。
この場合、当該照明装置は、前記位置決め凹部が前記位置決め凸部を受容することにより、前記ブラケットの前記光軸に直交する面内における変位が規制されるように構成されうる。
【００１５】
このような構成によれば、ブラケットのリフレクタへの固定時において、光軸を中心とする周方向におけるブラケットの位置、すなわち第１係合部の位置が定まるため、後続するソケットの第２係合部との係合を迅速かつ効率的に行なうことができる。
【００１６】
上記の目的を達成するために、本発明がとりうる第２の態様は、車両に搭載される照明装置であって、
灯室を区画するハウジングと、
前記灯室内に配置された光源と、
前記灯室内に配置されて前記光源から出射された光を所定の方向へ反射するリフレクタと、
前記リフレクタの後部に固定されたブラケットと、
前記ブラケットの一部を変位させることにより、前記車両に対する前記リフレクタの姿勢を調整する調整機構と、
前記リフレクタと前記ブラケットの一方に設けられた係止突起と、
前記リフレクタと前記ブラケットの他方に設けられ、前記係止突起とそれぞれ係合可能な係止凹部と、
を備えており、
前記係止突起と前記係止凹部は、前記リフレクタの後方から前方へ向けて前記ブラケットを押すことにより、前記係止突起が前記係止凹部と係合して前記ブラケットが前記リフレクタに対して所定の位置に配置され、かつ、前記係止突起の前記後方への変位が規制されるように構成されている。
【００１７】
このような構成によれば、リフレクタの後方から前方へ向けてブラケットを押すことにより係止突起と係止凹部を係合させるという動作のみで、ブラケットをリフレクタに対して所定位置に係止できる。これにより、後続する組立作業の正確性が向上する。したがって、照明装置の組立作業が迅速かつ効率的に行なわれうる。
【００１８】
第２の態様に係る照明装置は、
前記リフレクタと前記ブラケットの一方に設けられ、前記光源の光軸と平行な向きに延びる複数のガイド突起と、
前記リフレクタと前記ブラケットの他方に設けられ、前記係止突起と前記係止凹部の係合時において前記複数のガイド突起をそれぞれ受容する複数の受容部と、
を備えている構成とされうる。
この場合、当該照明装置は、前記複数のガイド突起が前記複数の受容部にそれぞれ受容されることにより、前記ブラケットの前記光軸に直交する面内における変位が規制されるように構成されうる。
【００１９】
このような構成によれば、ブラケットのリフレクタへの固定時において、光軸を中心とする周方向におけるブラケットの位置が定まるため、後続する組立作業の正確性がより向上する。したがって、照明装置の組立作業がより迅速かつ効率的に行なわれうる。
【図面の簡単な説明】
【００２０】
【図１】本発明の一実施形態に係る前照灯装置を一部断面で示す平面図である。
【図２】上記前照灯装置が備える灯具ユニットを示す分解斜視図である。
【図３】上記灯具ユニットが備えるリフレクタの外観を示す斜視図である。
【図４】上記灯具ユニットが備えるブラケットの外観を示す斜視図である。
【図５】上記灯具ユニットの組立方法を説明する斜視図である。
【図６】上記ブラケットと上記リフレクタの一部を拡大して示す図である。
【図７】上記灯具ユニットの組立方法を説明する拡大断面図である。
【図８】上記灯具ユニットの組立方法を説明する斜視図である。
【図９】上記灯具ユニットの一部を拡大して示す斜視図である。
【発明を実施するための形態】
【００２１】
添付の図面を参照しつつ、本発明の実施形態例について以下詳細に説明する。なお以下の説明に用いる各図面では、各部材を認識可能な大きさとするために縮尺を適宜変更している。また以降の説明に用いる「右」および「左」は、運転席から見た左右の方向を示している。
【００２２】
図１は、本発明の一実施形態に係る前照灯装置１（照明装置の一例）の構成を、一部断面で示す平面図である。前照灯装置１は、車両の前部に搭載される。前照灯装置１は、ハウジング２と透光カバー３を備えている。ハウジング２は、前方に開口している。透光カバー３は、当該開口を閉塞するようにハウジング２に装着される。ハウジング２と透光カバー３は、灯室４を区画している。
【００２３】
灯室４の内部には、灯具ユニット１０が収容されている。図２に示すように、灯具ユニット１０は、光源２０、リフレクタ３０、ブラケット４０、およびソケット５０を備えている。
【００２４】
本実施形態においては、光源２０としてバルブ光源を用いている。バルブ光源の例としては、ハロゲンランプ、ＨＩＤ（High Intensity Discharge）ランプなどが挙げられる。光源２０として半導体発光素子を用いてもよい。半導体発光素子の例としては、発光ダイオード、レーザダイオード、有機ＥＬ素子などが挙げられる。光源２０は、図１に示す状態において、灯室４内に配置されている。
【００２５】
リフレクタ３０は、光源２０から出射された光を所定の方向へ反射する。図１に示す状態において、リフレクタ３０は、灯室４内に配置されている。光源２０より出射された光は、反射面３１によって前方へ反射され、透光カバー３を通じて前方を照明する。
【００２６】
図２に示すように、ブラケット４０は、環状枠４１、支点部４２、第１軸受部４３、および第２軸受部４４を備えている。環状枠４１の内径は、リフレクタ３０の周壁３３の外径よりも大きい。支点部４２は、環状枠４１の左上方に配置されている。第１軸受部４３は、環状枠４１の右上方に配置されている。第２軸受部４４は、環状枠４１の左下方に配置されている。支点部４２は、ユニバーサルジョイント用の突起を有している。第１軸受部４３と第２軸受部４４には、それぞれねじ穴が形成されている。
【００２７】
ブラケット４０は、さらに第１支持軸４６と第２支持軸４７を有している。第１支持軸４６は、第１軸受部４３から右方に延びている。第２支持軸４７は、第２軸受部４４から左方に延びている。
【００２８】
ソケット５０は、光源２０を支持している。ソケット５０は、コネクタ部５１と鍔部５２を有している。コネクタ部５１は、前方に開口する円筒形状を有している。複数の接続端子５１ａが、コネクタ部５１の後端部から後方に延びている。光源２０が開口部よりコネクタ部５１に装着されることにより、光源２０と各接続端子５１ａの間に電気的接続が確保される。鍔部５２は、コネクタ部５１の外周面に形成されている。
【００２９】
次に図３から図９を参照しつつ、灯具ユニット１０の組立方法について説明する。図３は、リフレクタ３０を右下後方から見た外観を示す斜視図である。リフレクタ３０は、円形の開口３２、環状の周壁３３、および複数の規制突起３５を有している。開口３２は、リフレクタ３０の後部に形成されている。周壁３３は、開口３２を包囲するように、リフレクタ３０の後部に形成されている。複数の規制突起３５は、周壁３３を包囲するように、リフレクタ３０の後部に形成されている。複数の規制突起３５の各々は、後方に向かって延びており、その先端は平坦面とされている。
【００３０】
周壁３３には、複数の係止凹部３３ｃが形成されている。複数の係止凹部３３ｃの各々は、周壁３３の外周面において周壁３３の径方向外側へ開口している。複数の係止凹部３３ｃの各々は、周壁３３の内周面において、周壁３３の径方向内側および前方に向かって開口している。
【００３１】
図４は、リフレクタ３０に装着される側から見たブラケット４０の外観を示す斜視図である。ブラケット４０の環状枠４１の前面４１ａには、複数の係止突起４１ｃが形成されている。複数の係止突起４１ｃの各々は、環状枠４１の径方向内側へ延びている。複数の係止突起４１ｃの先端同士を結ぶ円の直径は、ブラケット３０の周壁３３の外形よりも小さい。複数の係止突起４１ｃの各々は、撓み変形可能とされている。
【００３２】
まず、図５に示すように、ブラケット４０が、リフレクタ３０の後方よりリフレクタ３０の後部に固定される。具体的には、リフレクタ３０の後方よりブラケット４０を前方に押すことにより、ブラケット４０の環状枠４１に設けられた複数の係止突起４１ｃが、撓み変形しつつリフレクタ３０の周壁３３の外周面を乗り越え、複数の係止凹部３３ｃとそれぞれ係合する。これにより、ブラケット４０の環状枠４１が、リフレクタ３０の周壁３３を包囲するように固定される。
【００３３】
図６は、ブラケット４０がリフレクタ３０に固定された状態における両部材の一部を拡大して示している。図６の（ａ）に示すように、複数の係止突起４１ｃは、周壁３３の径方向外側から複数の係止凹部３３ｃに係合する（１組の係止突起４１ｃと係止凹部３３ｃのみが図示されている）。図６の（ｂ）は、リフレクタ３０の開口３２を前方から見た同状態を示している。同状態において、撓み変形から復帰した複数の係止突起４１ｃの先端は、複数の係止凹部３３ｃ内にそれぞれ配置される。各係止凹部３３ｃは、係止面３３ｄを有している。係止面３３ｄは、係止凹部３３ｃに係合した係止突起４１ｃの後方への変位を規制するように構成されている。すなわち、複数の係止突起４１ｃが複数の係止凹部３３ｃとそれぞれ係合することにより、ブラケット４０がリフレクタ３０に対して所定の位置に配置され、かつ、複数の係止突起４１ｃの後方への変位が規制される。すなわち、リフレクタ３０に対するブラケット４０の後方への変位が規制される。
【００３４】
このような構成によれば、リフレクタ３０の後方から前方へ向けてブラケット４０を押すことにより係止突起４１ｃと係止凹部３３ｃを係合させるという動作のみで、ブラケット４０をリフレクタ３０に対して所定位置に係止できる。これにより、後続する組立作業の正確性が向上する。したがって、前照灯装置１の組立作業が迅速かつ効率的に行なわれうる。
【００３５】
他方、図６の（ａ）に示すように、係止突起４１ｃと係止凹部３３ｃが係合すると、リフレクタ３０の後部に設けられた複数の規制突起３５の後端面が、ブラケット４０の環状枠４１の前面４１ａに当接する（１つの規制突起３５のみが図示されている）。複数の規制突起３５は、環状枠４１の前方への変位を規制する。
【００３６】
このような構成によれば、前述したリフレクタ３０に対するブラケット４０の後方への変位の規制に加え、リフレクタ３０に対するブラケット４０の前方への変位の規制がなされる。これにより、ブラケット４０のリフレクタ３０に対する前照灯装置１の前後方向における位置が安定し、後続する組立作業の正確性がより向上する。したがって、前照灯装置１の組立作業がより迅速かつ効率的に行なわれうる。
【００３７】
次に、光源２０を支持しているソケット５０が、ブラケット４０の後方よりブラケット４０に装着される。図２に示すように、ブラケット４０の環状枠４１は、第１係合部４５を有している。第１係合部４５は、環状枠４１から後方に延びている突起である。第１係合部４５は、環状枠４１の径方向に撓み変形可能とされている。他方、ソケット５０の鍔部５２は、第２係合部５３を有している。第２係合部５３は、鍔部５２の外周縁より径方向外側へ延びている突起である。ソケット５０をブラケット４０に装着するにあたっては、まず、リフレクタ３０の後部に形成された開口３２に光源２０を挿通し、次いでソケット５０の第２係合部５３を、ブラケット４０の第１係合部４５と係合させる。
【００３８】
図７の（ａ）に示すように、第１係合部４５は、傾斜部４５ａと段差部４５ｂを有している。傾斜部４５ａは、前方に向かうに連れて環状枠４１の径方向内側に傾斜するように延びている。段差部４５ｂは、傾斜部４５ａの前端部から環状枠４１の径方向外側へ延びている。
【００３９】
図７の（ｂ）に示すように、第２係合部５３は、傾斜部４５ａに接触して第１係合部４５を環状枠４１の径方向外側に撓み変形させつつ前方へ移動する。第２係合部５３が傾斜部４５ａを乗り越えると、図７の（ｃ）に示すように、第１係合部４５が元の位置に弾性復帰し、第１係合部４５と第２係合部５３の係合が完了する。このとき、第２係合部５３は、第１係合部４５の段差部４５ｂとリフレクタ３０の周壁３３の間に挟持される。これにより、第２係合部５３の前後方向における位置決めがなされる。図８は、この状態における外観を示している。
【００４０】
第１係合部４５と第２係合部５３の係合は、解除可能である。例えば光源２０の交換時において、作業者は、第１係合部４５を環状枠４１の径方向外側へ撓み変形させる。これにより、第２係合部５３が後方へ移動可能となる。装着時とは逆にソケット５０を後方へ引き抜くことにより、光源２０がリフレクタ３０から取り外される。
【００４１】
図１に示すように、ハウジング２の後壁２ａには、第１ブラケット支持部２ｂ、および第２ブラケット支持部２ｃが形成されている。第１ブラケット支持部２ｂは、ブラケット４０の第１支持軸４６を支持する。第２ブラケット支持部２ｃは、ブラケット４０の第２支持軸４７を支持する。
【００４２】
図示を省略するが、ハウジング２の後壁２ａには、ブラケット４０の環状枠４１と対向する位置に貫通穴が形成されている。当該貫通穴を通じて、図５から図８を参照して説明したソケット５０の着脱が行なわれる。ソケット５０の装着状態においては、図１に示すように、接続端子５１ａがハウジング２の外側に露出している。図示しない給電コネクタが接続端子５１ａに接続されると、光源２０を発光させるための給電がなされる。
【００４３】
前照灯装置１は、第１エイミングスクリュー６１と第２エイミングスクリュー６２を備えている。第１エイミングスクリュー６１と第２エイミングスクリュー６２の各ヘッド部は、ハウジング２の外側に配置されている。第１エイミングスクリュー６１と第２エイミングスクリュー６２の各軸部には、ねじ溝が形成されている。第１エイミングスクリュー６１の軸部は、ハウジング２の後壁２ａを貫通して灯室４内へ延び、ブラケット４０の第１軸受部４３に形成されたねじ穴（図８参照）と螺合している。第２エイミングスクリュー６２の軸部は、ハウジング２の後壁２ａを貫通して灯室４内へ延び、ブラケット４０の第２軸受部４４に形成されたねじ穴（図８参照）と螺合している。
【００４４】
第１エイミングスクリュー６１（調整機構の一例）のヘッド部をハウジング２の外側から回転操作することにより、ブラケット４０の第１軸受部４３との螺合状態が変化し、第１軸受部４３（ブラケットの一部の一例）が支点部４２を中心に前後方向に変位する。ブラケット４０はリフレクタ３０に固定されているため、リフレクタ３０の車両に対する姿勢が変化し、光源２０の光軸Ａｘの左右方向における基準位置が調整される。
【００４５】
第２エイミングスクリュー６２（調整機構の一例）のヘッド部をハウジング２の外側から回転操作することにより、ブラケット４０の第２軸受部４４との螺合状態が変化し、第２軸受部４４（ブラケットの一部の一例）が支点部４２を中心に前後方向に変位する。ブラケット４０はリフレクタ３０に固定されているため、リフレクタ３０の車両に対する姿勢が変化し、光源２０の光軸Ａｘの上下方向における基準位置が調整される。
【００４６】
以上説明したように、本実施形態に係る前照灯装置１によれば、リフレクタ３０の後方からブラケット４０を固定し、さらに光源２０を支持しているソケット５０をブラケット４０の後方から装着するのみで、灯具ユニット１０を組み立てることができる。リフレクタ３０へのブラケット４０の装着と、ブラケット４０へのソケット５０の装着を同じ方向から行なうことができるため、作業性が向上する。
【００４７】
特にブラケット４０とソケット５０の結合（リフレクタ３０に対する所定位置への光源２０の配置）は、ブラケット４０に設けられた第１係合部４５とソケット５０に設けられた第２係合部５３を係合させるのみであり、また当該係合は、第１係合部４５を撓み変形させるのみで解除可能であることから、組立作業や光源の交換作業を迅速かつ効率的に行なうことができる。
【００４８】
またソケット５０が結合されるブラケット４０は、車両に対するリフレクタ３０の姿勢（光源２０の光軸Ａｘの基準位置）を調整する第１エイミングスクリュー６１および第２エイミングスクリュー６２とも結合されている。すなわち、リフレクタ３０に対する所定の位置に光源２０を配置するための部品を、リフレクタ３０の姿勢を調整するための部品としても利用している。したがって、部品点数を削減できる。
【００４９】
本実施形態においては、ブラケット４０の環状枠４１が係止突起を有し、リフレクタ３０の周壁３３が係止凹部を有している。しかしながら、係止突起と係止凹部の関係は逆でもよい。すなわち、前照灯装置１は、ブラケット４０の環状枠４１が係止凹部を有し、リフレクタ３０の周壁３３が係止突起を有する構成とされうる。
【００５０】
上記の実施形態においては、第１係合部４５が傾斜部４５ａおよび段差部４５ｂを有する突起として構成され、第２係合部５３が当該傾斜部４５ａを利用して第１係合部４５を撓み変形させる突起として構成されている。しかしながら、両者の関係は逆でもよい。また、第１係合部４５と第２係合部５３の一方は、係合用の突起を受容する凹部としてもよい。
【００５１】
ブラケット４０の一部を変位させることにより車両に対するリフレクタ３０の姿勢を調整する機構は、第１エイミングスクリュー６１と第２エイミングスクリュー６２に限られない。これらの少なくとも一方は、電動のアクチュエータで置き換えてもよい。
【００５２】
図９は、リフレクタ３０、ブラケット４０、およびソケット５０の結合部を拡大して示している。ブラケット４０の第１係合部４５は、後方に延びるとともに撓み変形可能な第１係合突起４５１と、第２係合突起４５２を含んでいる。これらのうち、第１係合突起４５１のみが、延長部４５ｃを有している。これにより、第１係合突起４５１は、第２係合突起４５２よりも長い寸法を有している。
【００５３】
このような構成によれば、作業者は延長部４５ｃを操作することにより、容易に第１係合突起４５１を環状枠４１の径方向外側へ撓ませ、第１係合部４５と第２係合部５３の係合を迅速に解除できる。また複数の突起のうち１つだけを上記のような構成とすることにより、作業者には係合解除のために操作すべき係合突起を示唆できる。したがって、材料コストを抑制しつつ、迅速かつ効率的なソケット５０の取外し作業が可能となる。
【００５４】
第１係合部４５が含む複数の係合突起の数は、他の突起よりも長く後方まで延びる第１係合突起４５１を含む限りにおいて、任意である。
【００５５】
第２係合部５３は、光源２０の光軸Ａｘと直交する向きに延びている。リフレクタ３０の周壁３３には、第１係合部４５と係合した第２係合部５３を受容する切欠き３３ａ（凹部の一例）が形成されている。第２係合部５３が切欠き３３ａに受容されることにより、第２係合部５３の光軸Ａｘに直交する面内における変位が規制される。
【００５６】
このような構成によれば、第１係合部４５と係合した第２係合部５３が、光源２０の光軸Ａｘを中心に回転することが防止される。第１係合部４５と第２係合部５３を係合させるのみで、光軸Ａｘを中心とするソケット５０の周方向の姿勢が定まるため、迅速かつ効率的に光源２０をリフレクタ３０に対する所定の位置に配置できる。
【００５７】
図４に示すように、ブラケット４０の環状枠４１には、複数の突起４１ｂが形成されている。複数の突起４１ｂの各々は、環状枠４１の径方向内側へ延びている。一方、リフレクタ３０の周壁３３における切欠き３３ａと異なる位置には、複数の切欠き３３ｂが形成されている。複数の切欠き３３ｂの各々は、周壁３３の外周面において周壁３３の径方向外側に開口している。
【００５８】
図９に示したブラケット４０のリフレクタ３０への固定時において、複数の切欠き３３ｂ（位置決め凹部の一例）は、突起４１ｂ（位置決め凸部の一例）を受容する。突起４１ｂが切欠き３３ｂに受容されることにより、ブラケット４０の光軸Ａｘに直交する面内における変位が規制される。これにより、光源２０の光軸Ａｘを中心とする周方向における環状枠４１の姿勢が定まる。
【００５９】
また、図３に示すように、リフレクタ３０は、ガイド突起３４ａ、３４ｂを備えている。ガイド突起３４ａ、３４ｂは、リフレクタ３０の後部から後方に延びている。ガイド突起３４ａ、３４ｂは、図９に示したソケット５０のブラケット４０への装着時において光源２０の光軸Ａｘと平行な向きに延びるように形成されている。一方、ブラケット４０の環状枠４１には、その径方向外側に延びる突起に貫通穴４９ａ、４９ｂが形成されている。ブラケット４０のリフレクタ３０への固定時において、貫通穴４９ａ、４９ｂ（受容部の一例）は、ガイド突起３４ａ、３４ｂを受容する。ガイド突起３４ａ、３４ｂが貫通穴４９ａ、４９ｂにそれぞれ受容されることにより、ブラケット４０の光軸Ａｘに直交する面内における変位が規制される。これによっても、光源２０の光軸Ａｘを中心とする周方向における環状枠４１の姿勢が定まる。
【００６０】
このような構成によれば、ブラケット４０のリフレクタ３０への固定時において、光軸Ａｘを中心とする周方向における環状枠４１の姿勢、すなわち第１係合部４５の位置が定まるため、後続するソケット５０の第２係合部５３との係合を迅速かつ効率的に行なうことができる。
【００６１】
突起４１ｂと切欠き３３ｂの関係は逆でもよい。ガイド突起３４ａ、３４ｂと貫通穴４９ａ、４９ｂの関係は逆でもよい。また貫通穴４９ａ、４９ｂは、ガイド突起３４ａ、３４ｂを受容できる限りにおいて、有底の穴でもよい。突起４１ｂと切欠き３３ｂの組と、ガイド突起３４ａ、３４ｂと貫通穴４９ａ、４９ｂの組のいずれか一方は省略されてもよい。
【００６２】
上記の実施形態は本発明の理解を容易にするためのものであって、本発明を限定するものではない。本発明は、その趣旨を逸脱することなく変更・改良され得ると共に、その等価物が本発明の技術的範囲に含まれることは明らかである。
【００６３】
上記の実施形態においては、ランス形状を有する係合突起を第１係合部４５の一例として示した。しかしながら、撓み変形を伴って第２係合部５３との係合および係合解除がなされるのであれば、第２係合部５３との関わりにおいて適宜の形状を有する部材を採用できる。同様に、突起を第２係合部５３の一例として示した。しかしながら、撓み変形を伴う第１係合部４５との係合および係合解除がなされるのであれば、第１係合部４５との関わりにおいて適宜の形状を有する部材を採用できる。
【００６４】
本発明は、光源２０の光軸Ａｘの基準位置を調整するための機構を備える限りにおいて、車両に搭載される適宜の照明装置に適用可能である。
【００６５】
ソケット５０とハウジング２の間にはゴムカバーなどの封止部材を設けてもよい。このような構成によれば、灯室４内への水や塵の侵入が防止されうる。
【符号の説明】
【００６６】
１：前照灯装置、２：ハウジング、４：灯室、２０：光源、３０：リフレクタ、３３ａ：切欠き、３３ｂ：切欠き、３３ｃ：係止凹部、３４ａ、３４ｂ：ガイド突起、４０：ブラケット、４１ｂ：突起、４１ｃ：係止突起、４３：第１軸受部、４４：第２軸受部、４５：第１係合部、４９ａ、４９ｂ：貫通穴、５０：ソケット、５３：第２係合部、６１：第１エイミングスクリュー、６２：第２エイミングスクリュー、４５１：第１突起、４５２：第２突起
【図１】
2015167119.tif 000003
【図２】
2015167119.tif 000004
【図３】
2015167119.tif 000005
【図４】
2015167119.tif 000006
【図５】
2015167119.tif 000007
【図６】
2015167119.tif 000008
【図７】
2015167119.tif 000009
【図８】
2015167119.tif 000010
【図９】
2015167119.tif 000011